(57)【要約】本発明は、移動無線通信システムにおける送信出力を制御するための方法に関し、本発明によれば、同じ送信機によって送信される少なくとも２つの別個の物理チャンネルの送信出力は、基準として使用される第１のチャンネルに対応する伝送品質目標値（ＳＩＲ目標）に基づいてアルゴリズムによって制御され、必要ならば第２のチャンネルに対して、第１のチャンネルに対する送信出力オフセット（ＰＯ）が適用される。本方法は、要求された伝送条件に修正がある場合、前記第１のチャンネルが、前記第１の値によって修正された送信出力を有し、前記第２のチャンネルが、前記第１と第２の値との間の差（Δ１−Δ２）に等しい値によって修正された送信出力を有するように、第１の値の変化量（Δ１）が、前記目標値（ＳＩＲ目標）に適用され、第２の値の変化量（Δ２）が、前記出力オフセット（ＰＯ）に適用されることを本質とする。
2004529521.tif 000002
【特許請求の範囲】
【請求項１】
単一の送信機によって送信される少なくとも２つの別個の物理チャンネルが、基準として取られる第１のチャンネルに対応する伝送品質の目標値（ＳＩＲ目標）に応じて出力制御アルゴリズムによって制御されるそれらの個々の送信出力を有し、必要に応じて第２のチャンネルに対して前記第１のチャンネルに対する送信出力オフセット（ＰＯ）が適用される、移動無線通信システムにおける送信出力を制御する方法であって、要求された伝送条件に変更がある場合、第１の値を有する変化量（Δ１）が、前記目標値（ＳＩＲ目標）に適用され、第２の値を有する変化量（Δ２）が、前記出力オフセット（ＰＯ）に適用され、前記第１のチャンネルが、前記第１の値によって変更された送信出力を有し、前記第２のチャンネルが、前記第１と第２の値との間の差（Δ１−Δ２）に等しい値によって変更された送信出力を有することを特徴とする方法。
【請求項２】
前記第１の値が０に等しく、前記第１と第２の値の間の差が、前記第２のチャンネルに適用される出力の前記変化量に対応することを特徴とする請求項１に記載の方法。
【請求項３】
前記第１の値が、前記第１のチャンネルに適用される出力の前記変化量の成分に対応し、
前記第１と第２の値との間の差が、前記第１のチャンネルに適用される前記出力変化量成分と前記第２のチャンネルに適用される前記出力変化量との間の差に対応することを特徴とする請求項１に記載の方法。
【請求項４】
前記第１の値が、前記第１のチャンネルに適用される前記出力変化量に対応し、
前記第１と第２の値との間の差が、前記第１のチャンネルに適用される前記出力変化量成分と前記第２のチャンネルに適用される出力変化量成分との間の差に対応することを特徴とする請求項１に記載の方法。
【請求項５】
前記要求された伝送条件の変更が、圧縮モードを使用することに対応することを特徴とする請求項１から４のいずれか一項に記載の方法。
【請求項６】
前記第１のチャンネルが、制御チャンネルであることを特徴とする請求項１から５のいずれか一項に記載の方法。
【請求項７】
前記第２のチャンネルが、データチャンネルであることを特徴とする請求項１から５のいずれか一項に記載の方法。
【請求項８】
前記制御チャンネルに適用される前記出力変化量成分が、前記制御チャンネルで送信されるパイロットチャンネルのためのパイロットビットの数の変更を補償するための成分（ΔＰＩＬＯＴ）であって、前記パイロットビットの数が、圧縮フレームと通常フレームとの間でおそらく異なることを特徴とする請求項３、５、および、６に記載の方法。
【請求項９】
前記制御チャンネルに適用される前記出力変化量が、前記制御チャンネルで送信されるパイロット信号のためのパイロットビットの数の変更を補償するための成分（ΔＰＩＬＯＴ）であって、前記パイロットビットの数が、圧縮フレームと通常フレームとの間でおそらく異なる成分、ならびに、圧縮モードにおける伝送ギャップによる性能の劣化を補償するための成分（ΔＳＩＲ１＿ｃｏｄｉｎｇ＋ΔＳＩＲ２＿ｃｏｄｉｎｇ）を含むことを特徴とする請求項４、５、および、６に記載の方法。
【請求項１０】
上流方向の出力を制御するために使用されることを特徴とする請求項１から９のいずれか一項に記載の方法。
【請求項１１】
下流方向の出力を制御するために使用されることを特徴とする請求項１から９のいずれか一項に記載の方法。
【請求項１２】
移動無線通信システムのための基地局であって、請求項１から１１のいずれか一項に記載の方法を実施するための手段を含むことを特徴とする基地局。
【請求項１３】
上流方向の出力を制御するために、前記目標値（ＳＩＲ目標）に対して前記第１の値を有する変化量を適用するための手段を含むことを特徴とする請求項１２に記載の基地局。
【請求項１４】
下流方向の出力を制御するために、前記出力オフセット（ＰＯ）に対して前記第２の値を有する変化量を適用するための手段を含むことを特徴とする請求項１２に記載の基地局。
【請求項１５】
上流方向の出力を制御するために、前記出力オフセット（ＰＯ）に対する適用のために前記第２の値を有する前記変化量を移動局に信号で知らせるための手段を含むことを特徴とする請求項１２に記載の基地局。
【請求項１６】
無線通信システムのための基地局コントローラであって、請求項１から１１のいずれか一項に記載の方法を実施するための手段を含むことを特徴とする基地局コントローラ。
【請求項１７】
上流方向の出力を制御するために、前記目標値（ＳＩＲ目標）に対して前記第１の値を有する変化量を適用するための手段を含むことを特徴とする請求項１６に記載の基地局コントローラ。
【請求項１８】
下流方向の出力を制御するために、前記出力オフセット（ＰＯ）に対して前記第２の値を有する変化量を適用するための手段を含むことを特徴とする請求項１６に記載の基地局コントローラ。
【請求項１９】
上流方向の出力を制御するために、前記出力オフセット（ＰＯ）に適用される前記第２の値を有する前記変化量を移動局に信号で知らせるための手段を含むことを特徴とする請求項１６に記載の基地局コントローラ。
【請求項２０】
移動無線通信システムのための移動局であって、請求項１から１１のいずれか一項に記載の方法を実施するための手段を含むことを特徴とする移動局。
【請求項２１】
下流方向の出力を制御するために、前記目標値（ＳＩＲ目標）に対して前記第１の値を有する変化量を適用するための手段を含むことを特徴とする請求項２０に記載の移動局。
【請求項２２】
上流方向の出力を制御するために、前記出力オフセット（ＰＯ）に対して前記第２の値を有する変化量を適用するための手段を含むことを特徴とする請求項２０に記載の移動局。
【請求項２３】
下流方向の出力を制御するために、前記出力オフセット（ＰＯ）に対する適用のために前記第２の値を有する前記変化量をネットワークに信号で知らせるための手段を含むことを特徴とする請求項２０に記載の移動局。
【請求項２４】
少なくとも１つの請求項１２から１５のいずれか一項に記載の基地局、および／または、少なくとも１つの請求項１６から１９のいずれか一項に記載の基地局コントローラ、および／または、少なくとも１つの請求項２０から２３のいずれか一項に記載の移動局を含む移動無線通信システム。
【請求項２５】
単一の送信機によって送信されるデータチャンネル（ＤＰＤＣＨ）および制御チャンネル（ＤＰＣＣＨ）が、基準として取られる前記制御チャンネルに対応する伝送品質に対する目標値（ＳＩＲ目標）に応じて出力制御アルゴリズムによって制御されるそれらの個々の送信出力を有し、必要に応じて前記データチャンネルに対して前記制御チャンネルに対する送信出力オフセット（ＰＯ）が適用される、移動無線通信システムの送信出力を制御する方法であって、要求される伝送条件に変更がある場合、圧縮モードを使用することに対応して、変化量が前記目標値（ＳＩＲ目標）に適用され、前記変化量が，前記制御チャンネルで送信されるパイロット信号のためのパイロットビットの数の変更を補償するための成分（ΔＰＩＬＯＴ）であって、前記パイロットビットの数が、圧縮フレームと通常フレームとの間でおそらく異なる成分、ならびに、圧縮モードにおける伝送ギャップによる性能の劣化を補償するための成分（ΔＳＩＲ１＿ｃｏｄｉｎｇ＋ΔＳＩＲ２＿ｃｏｄｉｎｇ）を含むことを特徴とする方法。
【請求項２６】
移動無線通信システムのための基地局であって、請求項２５に記載の方法を実施するための手段を含むことを特徴とする基地局。
【請求項２７】
上流方向の出力を制御するために、前記目標値（ＳＩＲ目標）に変化量を適用するための手段を含み、その変化量が，前記制御チャンネルで送信されるパイロット信号のためのパイロットビットの数の変更を補償するための成分（ΔＰＩＬＯＴ）であって、前記パイロットビットの数が、圧縮フレームと通常フレームとの間でおそらく異なる成分、ならびに、圧縮モードにおける伝送ギャップによる性能の劣化を補償するための成分（ΔＳＩＲ１＿ｃｏｄｉｎｇ＋ΔＳＩＲ２＿ｃｏｄｉｎｇ）を含むことを特徴とする請求項２６に記載の基地局。
【請求項２８】
移動無線通信システムのための基地局コントローラであって、請求項２５に記載の方法を実施するための手段を含むことを特徴とする基地局コントローラ。
【請求項２９】
上流方向の出力を制御するために、前記目標値（ＳＩＲ目標）に変化量を適用するための手段を含み、その変化量が，前記制御チャンネルで送信されるパイロット信号のためのパイロットビットの数の変更を補償するための成分（ΔＰＩＬＯＴ）であって、前記パイロットビットの数が、圧縮フレームと通常フレームとの間でおそらく異なる成分、ならびに、圧縮モードにおける伝送ギャップによる性能の劣化を補償するための成分（ΔＳＩＲ１＿ｃｏｄｉｎｇ＋ΔＳＩＲ２＿ｃｏｄｉｎｇ）を含むことを特徴とする請求項２８に記載の基地局コントローラ。
【請求項３０】
移動無線通信のための移動局であって、請求項２５に記載の方法を実施するための手段を含むことを特徴とする移動局。
【請求項３１】
下流方向の出力を制御するために、前記目標値（ＳＩＲ目標）に変化量を適用するための手段を含み、前記変化量が，前記制御チャンネルで送信されるパイロット信号のためのパイロットビットの数の変更を補償するための成分（ΔＰＩＬＯＴ）であって、前記パイロットビットの数が、圧縮フレームと通常フレームとの間でおそらく異なる成分、ならびに、圧縮モードにおける伝送ギャップによる性能の劣化を補償するための成分（ΔＳＩＲ１＿ｃｏｄｉｎｇ＋ΔＳＩＲ２＿ｃｏｄｉｎｇ）を含むことを特徴とする請求項３０に記載の移動局。
【発明の詳細な説明】
【技術分野】
【０００１】
本発明は一般に移動無線通信システムに関し、特に符号分割多元アクセス（ＣＤＭＡ）を使用するシステムに関する。
【０００２】
本発明は、汎用移動電気通信システム（ＵＭＴＳ）などのいわゆる「第三世代」システムに特に適用可能である。
【０００３】
一般に、そのようなシステムにおける、目的の１つは性能を向上させる、すなわち、特に容量を向上させるおよび／またはサービス品質を向上させることである。
【０００４】
一般に使用されている１つの技術は出力制御技術、特にいわゆる「閉ループ出力制御」技術である。
【０００５】
閉ループにおいて出力を制御する目的は、基地局と移動局との間の各リンクについて、（例えば、信号対干渉比（ＳＩＲ）などの）リンクを介した伝送品質を表すパラメータが目標値に可能な限り近く維持されることを確実にすることである。例えば、上流方向（すなわち、移動局から基地局へ）において、基地局は周期的にＳＩＲを評価し、評価したＳＩＲを目標ＳＩＲ値と比較する。評価したＳＩＲが目標ＳＩＲより小さければ、基地局は移動局に移動局の送信出力を増大するよう要求する。逆の状況において、評価したＳＩＲが目標ＳＩＲより大きければ、基地局は移動局に移動局の送信出力を低減するよう要求する。
【０００６】
目標ＳＩＲ値は、そのようなシステムにおいて重要なパラメータである。もし目標ＳＩＲが必要な値より大きな値に設定されれば、システム内の干渉レベルは無意味に上昇し、そのため、システム性能は無意味に劣化する。逆に、目標ＳＩＲが必要な値より小さな値に設定されれば、サービス品質が当該リンク上で劣化する。
【０００７】
目標ＳＩＲ値は、一般に、要求されたサービス品質に応じて選択され、（内部ループアルゴリズムとして同じく知られている先行アルゴリズムとは反対に）外部ループアルゴリズムの手段によって一般に調整される。外部ループアルゴリズムの原理は、サービス品質の定期的に評価し、評価したサービス品質を要求されたサービス品質と比較することである。サービス品質は、音声サービスについてはビットエラーレート（ＢＥＲ）またはフレームエラーレート（ＦＥＲ）によって、また、パケットデータサービスについては確かにブロックエラーレート（ＢＬＥＲ）によって一般に表される。もし評価したサービス品質が要求されたサービス品質より低ければ、目標ＳＩＲは上昇され、もしそうでなければ、目標ＳＩＲは低下される。
【０００８】
可能な限り厳密にＳＩＲの変化を追跡するために迅速であることが必要とされる内部ループアルゴリズムとは異なり、外部ループアルゴリズムはより緩慢であることが必要である。なぜなら、品質は信頼できる評価を得るために特定の期間にわたって平均されなければならないからである。通常、情報がフレームに構成されて送信され、フレームがタイムスロットに構成されるＵＭＴＳなどのシステムにおいては、受信信号のＳＩＲは、フレームの各タイムスロットにおいて評価され、目標ＳＩＲと比較されるが、品質はいくつかのフレームにわたって平均される。
【０００９】
にもかかわらず、外部ループアルゴリズムにおけるこの速度の欠如は、特に、例えば、以下のように要求されたサービス品質に変更がある時に、特定の問題を引き起こす。
・「非圧縮」モードから「圧縮」モードへの、または、その逆の送信モードの変更。
・要求されたサービスの変更（特に伝送速度の変更）。
・（例えば、パケットデータサービスなどの）所与の要求されたサービスのための伝送速度の変更。
・周囲の条件（例えば、移動局の速度、無線伝播条件など）の変更。
・その他。
【００１０】
以下では、圧縮モードの使用による出力制御に対して提示される問題に対し、特に注意を向ける。
【００１１】
例えば、ＵＭＴＳなどのシステムにおいて、（「ユーザ装置」（ＵＥ）としても知られている）移動局が使用中の周波数以外の周波数で下流方向の測定を行うことを可能にするために下流方向に圧縮モードが導入されている。その本質は、基本的に、本明細書において伝送ギャップ継続時間と呼ぶ特定の継続時間にわたって下流方向の送信を停止することである。
【００１２】
これは、フレームの形で送信される情報の場合に適用され、（例えば、Ｔ１などの）圧縮され、かつ、ＴＧで表される伝送ギャップを含むフレーム、および（例えば、Ｔ２などの）圧縮されず、いかなる伝送ギャップも含まないフレームの双方を含む連続した一連のフレームを示す図１に要約されている。
【００１３】
したがって、圧縮フレーム中に、伝送ギャップの外で送信されるデータの量は、伝送ギャップを考慮するように適合される必要がある。したがって、目標ＳＩＲもそれに従って調整される必要があり、そうでなければ、性能が劣化する危険がある。
【００１４】
加えて、閉ループ出力制御は、伝送ギャップの継続時間全体を通じて機能しているわけではないため、性能は、特に圧縮フレーム中および圧縮フレームに続く１つまたは複数の「復帰」フレーム中で大幅に劣化する。劣化の度合いは、数デシベル（ｄＢ）に上ることがある。サービス品質を通常の（非圧縮）モードと同じに維持するために、これらの影響も、これらのフレーム中に目標ＳＩＲを上昇させることによって補償する必要がある。
【００１５】
にもかかわらず、外部ループアルゴリズムが緩慢な処理であるために、対応した方法で目標ＳＩＲを変更する前にいくつかのフレームが通過することは恐らく止むを得ず、目標ＳＩＲは、圧縮された直後に上昇する危険があり、または、目標ＳＩＲが最早不要となった時の復帰フレームは、いかなる状況でも性能を劣化させる。
【００１６】
本出願人によって１９９９年７月１３日に出願された欧州特許出願第９９４０１７６６．３号明細書において、圧縮モードにおける以上のような性能劣化を回避するための解決策が提案されている。
【００１７】
簡単に言えば、先行出願が基づく着想は、目標ＳＩＲの変化を予測すること、すなわち、目標ＳＩＲに対して予測対応変化量ΔＳＩＲを適用することである。
【００１８】
この先行出願に含まれる他の着想によれば、瞬間データレートの上昇による目標ＳＩＲの上昇と、圧縮フレームの劣化した性能による（すなわち、伝送ギャップによる）目標ＳＩＲの上昇量δＳＩＲとは分けることができる。
【００１９】
詳細には、下流方向において、例えば、データレートの変化がＵＥに知られているため、圧縮フレーム中に劣化した性能による目標ＳＩＲの付加的な上昇量であるδＳＩＲのみが、ネットワークによってＵＥに信号で知らせる必要がある。もしこの変化が、（伝送ギャップの継続時間、その周期などを含む）他の圧縮モードパラメータとともに信号で知らされれば、必要となる信号資源にかかる付加的な負荷は小さくできる。
【００２０】
したがって、ＵＥは圧縮フレームの直前（または、圧縮フレームの伝送ギャップの直後）に目標ＳＩＲをΔＳＩＲだけ上昇させることができ、圧縮フレームの直後に同じ量だけ目標ＳＩＲを低下させることができる。目標ＳＩＲのこの変化は、考慮する必要がある従来の外部ループアルゴリズムに対して付加的なものである。
【００２１】
この先行出願に含まれる他の着想によれば、少なくとも伝送ギャップが圧縮フレームの末尾にある時は、伝送ギャップの間の出力制御におけるギャップのために、復帰フレーム中の性能も、劣化することがある。したがって、復帰フレームの間に目標ＳＩＲを上昇させること、および、目標ＳＩＲにおけるこの上昇をＵＥに信号で知らせることも望ましい。あるいは、圧縮フレームのための同じ値のδＳＩＲを、必要信号量を低減するために使用することもできる。
【００２２】
したがって、この先行出願によれば、圧縮フレーム中および復帰フレーム中の目標ＳＩＲの変化を予測することによって、圧縮モードにおける外部ループ出力制御の有効性が高められる。
【００２３】
この先行出願に含まれる他の着想によれば、ＵＥは、同時に圧縮フレームの前に同じ比率でＵＥの送信出力を増加することができ、同様に、圧縮フレームの後に同じ比率でこれを低減することができる。これは、内部ループアルゴリズムの、特にステップ状の動作による欠点を回避することを可能にし、従って、新しい目標ＳＩＲ値にさらに迅速に到達することを可能にする（例えば、もし目標ＳＩＲの変化分が５ｄＢであって、出力制御の一段分が１ｄＢであれば、新しい目標値に到達するために、従来の内部ループアルゴリズムでは５タイムスロットが必要である）。
【００２４】
したがって、この先行出願において、送信出力の変化を予測することによっても、圧縮モードにおける内部出力制御ループの有効性は同様に向上する。
【００２５】
ΔＳＩＲで表される目標値の変化量は、本出願人によって２０００年２月８日に出願された欧州特許出願第００４００３５７．０号明細書に説明されているように得ることができる。
【００２６】
ＵＭＴＳなどのシステムの特徴は単一の接続を介して複数のサービスを伝送する可能性、すなわち、単一の物理チャンネルを介して複数の伝送チャンネルであることが再認識される。そのような伝送チャンネル（ＴｒＣＨ）は、１つまたは複数の物理チャンネルを介して伝播される符号化複合伝送チャンネル（ＣＣＴｒＣＨ）を形成するために、時間多重化される前に（エラー検出符号化、エラー訂正符号化、データレート適合、および、インターリービングを含む）チャンネル符号化方式の種類によって別個に処理される。チャンネル符号化方式の適用処理は、送信時間間隔（ＴＴＩ）にわたって行われる。このチャンネル符号化方式において、データレートを適合することはパンクチャーリング（ｐｕｎｃｔｕｒｉｎｇ）および反復の２つの技術を含む。加えて、フレーム間インターリービングはＴＴＩの長さ、または、インターリービングの深さにわたって行われる。したがって、各ＴＴＩはフレームに分割され、続いて、時間多重化および各物理チャンネルへの割り当てがフレームごとに行われる。加えて、ＣＣＴｒＣＨを形成するために多重化される様々な伝送チャンネルＴｒＣＨｉ（ｉ＝１、．．．、ｎ）の各々は、ＴＴＩｉと表されるそれ自身のＴＴＩ長を有する。ＵＭＴＳのこれらの態様に関するさらなる情報は、３ＧＰＰによって発表された文献３Ｇ  ＴＳ２５  ２１２  Ｖ３．０．０に見出すことができる。
【００２７】
上述の第２の先行特許出願に説明されているように、値ΔＳＩＲは以下の式を使用して得ることができる。
ΔＳＩＲ＝ｍａｘ（ΔＳＩＲ１＿ｃｏｍｐｒｅｓｓｉｏｎ、．．．、ΔＳＩＲｎ＿ｃｏｍｐｒｅｓｓｉｏｎ）＋ΔＳＩＲ＿ｃｏｄｉｎｇ
【００２８】
ここで、ｎは符号化複合伝送チャンネルＣＣＴｒＣＨの伝送チャンネルＴｒＣＨの全てに対する送信時間間隔（ＴＴＩ）の長さの数であり、ここで、ΔＳＩＲ＿ｃｏｄｉｎｇは以下を満足する。
・圧縮フレームについて、ΔＳＩＲ＿ｃｏｄｉｎｇ＝ＤｅｌｔａＳＩＲ；
・復帰フレームについて、ΔＳＩＲ＿ｃｏｄｉｎｇ＝ＤｅｌｔａＳＩＲａｆｔｅｒ；
・それ以外について、ΔＳＩＲ＿ｃｏｄｉｎｇ＝０
【００２９】
ΔＳＩＲｉ＿ｃｏｍｐｒｅｓｓｉｏｎは以下によって定義される。
もしフレームがパンクチャーによって圧縮されれば：
長さＦｉフレームの現在のＴＴＩにおいて伝送ギャップがある場合、
・ΔＳＩＲｉ＿ｃｏｍｐｒｅｓｓｉｏｎ＝１０Ｌｏｇ（Ｎ＊Ｆｉ／（Ｎ＊Ｆｉ−ＴＧＬｉ））ここで、（「伝送ギャップの長さ」を表す）ＴＧＬｉは、長さＦｉフレームの現在のＴＴＩ内の単一の伝送ギャップまたは複数の伝送ギャップの合計のいずれかを与える伝送ギャップの数として測定される伝送ギャップの継続時間であり、Ｎはフレーム当りのタイムスロットの数である。
または、
・そうでない場合、ΔＳＩＲｉ＿ｃｏｍｐｒｅｓｓｉｏｎ＝０
もしフレームが伝播係数を小さくすることによって圧縮されれば：
・各圧縮フレームについて、ΔＳＩＲｉ＿ｃｏｍｐｒｅｓｓｉｏｎ＝１０Ｌｏｇ（ＲＣＦ／Ｒ）となり、ここで、Ｒは圧縮フレームの前後の瞬間的な正味のデータレートであり、ＲＣＦは圧縮フレーム中の瞬間的な正味のデータレートであり（用語「瞬間的な正味のデータレート」とは、圧縮フレームについて、データレートを計算するために使用される周期がフレームの完全な周期ではないが、データが送信されるフレームの前記周期のその部分のみであることを意味すると理解される）、例えば、下流方向において、１０Ｌｏｇ（ＲＣＦ／Ｒ）はＵＭＴＳでは３ｄＢに等しく、ＵＭＴＳにおいて、伝播係数を２だけ低下させることによる圧縮モードが使用される時に、レートマッチングは、圧縮フレームに対するものと非圧縮フレームに対するものとで同じである。上流方向では、圧縮フレームと非圧縮フレームとに対してレートマッチングは同じではないため、ΔＳＩＲｉ＿ｃｏｍｐｒｅｓｓｉｏｎは１０Ｌｏｇ（（１５−ＴＧＬ）／１５）に等しい。加えて、情報レートのみが作成される時は、（「高次層スケジューリング」としても知られている）反復／パンクチャー比率、および／または、伝播係数を修正することによってフレームを圧縮する必要を持たないために、項ΔＳＩＲｉ＿ｃｏｍｐｒｅｓｓｉｏｎはゼロに等しい、つまり、
・他の場合、ΔＳＩＲｉ＿ｃｏｍｐｒｅｓｓｉｏｎ＝０。
【００３０】
このアルゴリズムにおいて、目標値の前記変化について、ｍａｘ（ΔＳＩＲ１＿ｃｏｍｐｒｅｓｓｉｏｎ、．．．、ΔＳＩＲｎ＿ｃｏｍｐｒｅｓｓｉｏｎ）は、第１の成分に対応し、ΔＳＩＲ＿ｃｏｄｉｎｇは第２の成分に対応する。
【００３１】
このアルゴリズムにおいて、第２の成分、ΔＳＩＲ＿ｃｏｄｉｎｇは、圧縮フレームおよび復帰フレームに対して異なる値、それぞれＤｅｌｔａＳＩＲおよびＤｅｌｔａＳＩＲａｆｔｅｒを有する。
【００３２】
他のアルゴリズムまたは変形体は、特に第２の上述の先行特許出願にも説明したように以下のように考えることができる：
・（ＵＭＴＳにおけるいわゆる「二重フレーム法」に相当する）第１のフレームで開始し、続く第２のフレームで終了する伝送ギャップの特別な場合において、（伝送ギャップの第２の部分を備えた）第２の圧縮フレームは、復帰フレームであると考えられる（ΔＳＩＲ＿ｃｏｄｉｎｇ＝ＤｅｌｔａＳＩＲａｆｔｅｒ）。このような状況下では、問題の２つの連続したフレームに続く第１のフレームは、復帰フレームであるとは考えられない（ΔＳＩＲ＿ｃｏｄｉｎｇ＝０）。
・代わりに、第２の圧縮フレームは、圧縮フレームであると考えることもでき（ΔＳＩＲ＿ｃｏｄｉｎｇ＝ＤｅｌｔａＳＩＲ）、問題の２つの連続したフレームに続く第１のフレームは、復帰フレームであると考えることができる（ΔＳＩＲ＿ｃｏｄｉｎｇ＝ＤｅｌｔａＳＩＲａｆｔｅｒ）。
・他の代案において、第２の圧縮フレームは、圧縮フレームおよび復帰フレームであると考えることができ（ΔＳＩＲ＿ｃｏｄｉｎｇ＝ＤｅｌｔａＳＩＲ＋ＤｅｌｔａＳＩＲａｆｔｅｒ、または、いかなる他の組み合わせ）、または、さらに一般的には、および、必要な信号伝送量および複雑さを低減するために、成分ΔＳＩＲ＿ｃｏｄｉｎｇは、他のいかなる値を信号で知らせることを必要とせずに、値ＤｅｌｔａＳＩＲおよびＤｅｌｔａＳＩＲａｆｔｅｒに基づいて決定することができる。
【００３３】
特にＵＭＴＳなどのシステムにおいて、異なったいわゆる「専用」物理チャンネルは、（上流方向では、例えば、ＵＭＴＳの移動局または「ＵＥ」によって）単一の送信機によって同時に送信できることが再認識される。
【００３４】
２つのタイプの専用物理チャンネルは、
・専用物理データチャンネル（ＤＰＤＣＨ）、および、
・専用物理制御チャンネル（ＤＰＣＣＨ）に区別される。
【００３５】
接続されたモードにおいて、各ＵＥは、要求に応じて１つのＤＰＣＣＨおよび１つまたは複数のＤＰＤＣＨが割り当てられる。
【００３６】
上流方向では、図２に示すように、チャンネルＤＰＤＣＨおよびＤＰＣＣＨは、各フレーム内で符号によって多重化される。
【００３７】
下流方向では、図３に示すように、チャンネルＤＰＤＣＨおよびＤＰＣＣＨは、各フレーム内に時間多重化される。
【００３８】
図２および３に示すように、ＤＰＣＣＨチャンネルは３つのフィールド、
・特に基地局と移動局との間の同期を保存するするため、および、伝播チャンネルの評価を行うために機能するパイロットビットを含む「パイロット」フィールド、
・内部出力制御ループによる使用のための出力制御コマンドビットを含む送信出力制御コマンド（ＴＰＣ）フィールド、および、
・（対応するサービスによっては、特に符号化方式、インターリービングなどを含む）使用中の伝送フォーマットを示すためのＤＰＤＣＨチャンネルの各々による使用のための伝送フォーマットインジケータビットを含む伝送フォーマット組み合わせインジケータ（ＴＦＣＩ）フィールドを有する。
【００３９】
上述の先行特許出願において、目標ＳＩＲは、ＤＰＤＣＨに対して表されると仮定する。
【００４０】
残念ながら、第三世代パートナーシッププロジェクト（３ＧＰＰ）においては、目標ＳＩＲがＤＰＣＣＨに対して表されることが規定されている。加えて、この規格において、ＤＰＤＣＨおよびＤＰＣＣＨは、上流方向において異なった送信出力を有することができ（これらの２つのチャンネル間の出力差に対して３０個の異なった値が可能である）、下流方向では、ＤＰＣＣＨの３つのフィールド（パイロット、ＴＦＣＩ、および、ＴＰＣ）およびＤＰＤＣＨは、異なった送信出力を有することができる（そのため、４つの異なった値が可能である）。
【００４１】
一般に、送信出力差、つまり、ＤＰＤＣＨとＤＰＣＣＨとの間の「オフセット」は、圧縮モードおよび通常モードにおいて同一である。この一般的な場合は、下流方向のための３ＧＰＰ標準によって規定されているものである。そのような状況下において、目標ＳＩＲは、ＤＰＣＣＨおよびＤＰＤＣＨに対して全く同じ方法で表され、上述の先行特許出願に提案されている解決策は、この状況に等しく適用する。
【００４２】
残念ながら、ＤＰＤＣＨとＤＰＣＣＨ間の送信出力オフセットが、圧縮モードと（上流方向のための３ＧＰＰ標準の仕様に対応する）通常モードとにおいて同一ではない時、上述のこれらの先行特許出願の解決策は適用不可能であり、直接には置き換えられない。特に、先行特許出願はＤＰＣＣＨ出力の変化の可能性ではなく、ＤＰＤＣＨ出力の変化のためにのみ必要な手段を取っている。
【００４３】
本発明の特別な目的は、この新しい問題に解決策を提供することである。
【００４４】
したがって、本発明は、単一の送信機によって送信される少なくとも２つの別個の物理チャンネルが、基準として取られる第１のチャンネルに対応する伝送品質の目標値に応じて出力制御アルゴリズムによって制御されるそれらの個々の送信出力を有し、必要に応じて第２のチャンネルに対して第１のチャンネルに対する送信出力オフセットが適用される、移動無線通信システムにおける送信出力を制御する方法であって、要求された伝送条件に変更がある場合、第１の値を有する変化量が前記目標値に適用され、第２の値を有する変化量が、前記出力オフセットに適用され、前記第１のチャンネルが、前記第１の値によって変更された送信出力を有し、前記第２のチャンネルが、前記第１と第２の値との間の差に等しい値によって変更された送信出力を有することを特徴とする方法を提供する。
【００４５】
第１の実施において、
・前記第１の値が、ゼロに等しく、
・前記第１と第２の値の間の差が、第２のチャンネルに適用される出力の変化量に対応する。
【００４６】
第２の実施において、
・前記第１の値が、第１のチャンネルに適用される出力の変化の成分に対応し、
・前記第１と第２の値との間の差が、第１のチャンネルに適用される出力変化量成分と第２のチャンネルに適用される出力変化量との間の差に対応する。
【００４７】
第３の実施において、
・前記第１の値が、第１のチャンネルに適用される出力変化量に対応し、
・前記第１と第２の値との間の差が、第１のチャンネルに適用される出力変化量成分と第２のチャンネルに適用される出力変化量成分との間の差に対応する。
【００４８】
特に、要求された伝送条件の前記変更が、圧縮モードを使用することに対応してもよい。
【００４９】
一実施例において、前記第１のチャンネルが、制御チャンネルである。
【００５０】
一実施例において、前記第２のチャンネルが、データチャンネルである。
【００５１】
他の特徴によれば、制御チャンネルに適用される前記出力変化量成分が、前記制御チャンネルで送信されるパイロットチャンネルのためのパイロットビットの数の変更を補償するための成分であって、前記パイロットビットの数が、圧縮フレームと通常フレームとの間でおそらく異なる。
【００５２】
他の特徴によれば、制御チャンネルに適用される前記出力変化量が、前記制御チャンネルで送信されるパイロット信号のためのパイロットビットの数の変更を補償するための成分であって、パイロットビットの数が、圧縮フレームと通常フレームとの間でおそらく異なるパイロットビットの数、ならびに、圧縮モードにおける伝送ギャップによる性能の劣化を補償するための成分を含む。
【００５３】
１つの可能性において、前記方法は上流方向の出力を制御するために使用される。
【００５４】
他の可能性において、前記方法は下流方向の出力を制御するために使用される。
【００５５】
本発明は、実施される本発明の方法を可能にするための手段を含むことができる移動無線通信システムの様々な実体も提供する。
【００５６】
したがって、本発明は、移動無線通信システムのための基地局も提供し、前記基地局が、本発明による方法を実施するための手段を含むことを基本的に特徴とする。
【００５７】
他の特徴によれば、上流方向の出力を制御するために、前記基地局が、前記目標値に対して前記第１の値を有する変化量を適用するための手段を含む。
【００５８】
他の特徴によれば、下流方向の出力を制御するために、前記基地局が、前記出力オフセットに対して前記第２の値を有する変化量を適用するための手段を含む。
【００５９】
他の特徴によれば、上流方向の出力を制御するために、前記基地局が、前記出力オフセットに対する適用のために、前記第２の値を有する前記変化量を移動局に信号で知らせるための手段を含む。
【００６０】
本発明は、移動無線通信システムのための基地局コントローラも提供し、前記基地局コントローラが、本発明による方法を実施するための手段を含むことを本質的に特徴とする。
【００６１】
他の特徴によれば、上流方向の出力を制御するために、前記基地局コントローラが、前記目標値に対して前記第１の値を有する変化量を適用するための手段を含む。
【００６２】
他の特徴によれば、下流方向の出力を制御するために、前記基地局コントローラが、前記出力オフセットに対して前記第２の値を有する変化量を適用するための手段を含む。
【００６３】
他の特徴によれば、上流方向の出力を制御するために、前記基地局コントローラが、前記出力オフセットに対して適用される前記第２の値を有する前記変化量を移動局に信号で知らせるための手段を含む。
【００６４】
本発明は、移動無線通信システムのための移動局も提供し、前記移動局が、本発明による方法を実施するための手段を含むことを本質的に特徴とする。
【００６５】
他の特徴によれば、下流方向の出力を制御するために、前記移動局が、前記目標値に対して前記第１の値を有する変化量を適用するための手段を含む。
【００６６】
他の特徴によれば、上流方向の出力を制御するために、前記移動局が、前記出力オフセットに対して前記第２の値を有する変化量を適用するための手段を含む。
【００６７】
他の特徴によれば、下流方向の出力を制御するために、前記移動局が、前記出力オフセットに対する適用のために、前記第２の値を有する変化量をネットワークに信号で知らせるための手段を含む。
【００６８】
本発明は、移動無線通信システムも提供し、前記システムが、少なくとも１つのそのような基地局、および／または、少なくとも１つのそのような基地局コントローラ、および／または、少なくとも１つのそのような移動局を含む。
【００６９】
本発明は、単一の送信機によって送信されるデータチャンネルおよび制御チャンネルが、基準として取られる制御チャンネルに対応する伝送品質に対する目標値に応じて出力制御アルゴリズムによって制御されるそれらの個々の送信出力を有し、必要に応じてデータチャンネルに対して制御チャンネルに対する送信出力オフセットが適用される、移動無線通信システムの送信出力を制御する方法であって、要求される伝送条件に変更がある場合、圧縮モードを使用することに対応して、変化量が前記目標値に適用され、前記変化量が、前記制御チャンネルで送信されるパイロット信号のためのパイロットビットの数の変更を補償するための成分であって、前記パイロットビットの数が、圧縮フレームと通常フレームとの間でおそらく異なる成分、ならびに、圧縮モードにおける伝送ギャップによる性能劣化を補償するための成分を含むことを特徴とする方法も提供する。
【００７０】
本発明は、移動無線通信システムのための基地局も提供し、前記基地局が、そのような方法を実施するための手段を含むことを実質的に特徴とする。
【００７１】
他の特徴によれば、上流方向の出力を制御するために、前記基地局が、前記目標値に変化量を適用するための手段を含み、その変化量が、前記制御チャンネルで送信されるパイロット信号のためのパイロットビットの数の変更を補償するための成分であって、前記パイロットビットの数が、圧縮フレームと通常フレームとの間でおそらく異なる成分、ならびに、圧縮モードにおける伝送ギャップによる性能の劣化を補償するための成分を含む。
【００７２】
本発明は、移動無線通信システムのための基地局コントローラも提供し、前記基地局コントローラはそのような方法を実施するための手段を含むことを実質的に特徴とする。
【００７３】
他の特徴によれば、上流方向の出力を制御するために、前記基地局コントローラが、前記目標値に変化量を適用するための手段を含み、その変化量が、前記制御チャンネルで送信されるパイロット信号のためのパイロットビットの数の変更を補償するための成分であって、前記パイロットビットの数が、圧縮フレームと通常フレームとの間でおそらく異なる成分、ならびに、圧縮モードにおける伝送ギャップによる性能の劣化を補償するための成分を含む。
【００７４】
本発明は、移動無線通信システムのための移動局も提供し、前記移動局が、そのような方法を実施するための手段を含むことを実質的に特徴とする。
【００７５】
他の特徴によれば、下流方向の出力を制御するために、前記移動局が、前記目標値に変化量を適用するための手段を含み、前記変化量が、前記制御チャンネルで送信されるパイロット信号のためのパイロットビットの数の変更を補償するための成分であって、前記パイロットビットの数が、圧縮フレームと通常フレームとの間でおそらく異なる成分、ならびに、圧縮モードにおける伝送ギャップによる性能の劣化を補償するための成分を含む。
【００７６】
本発明の他の目的および特徴は、添付の図面を参照して以下の実施の説明を読むと理解される。
【００７７】
したがって、本発明は以下の通りに提供される。
【００７８】
本発明は、目標ＳＩＲが、特定の基準チャンネルまたは「第１の」チャンネル（実際にはＤＰＣＣＨ）に対して表され、前記基準チャンネルが、第２のチャンネル（実際にはＤＰＤＣＨ）に対する出力オフセット（ＰＯ）だけの送信出力オフセットを有する一般的な場合に関する。
【００７９】
明確さのために、以下にチャンネルＤＰＣＣＨおよびＤＰＤＣＨを特に参照するが、本発明はいかなる方法においてもこの特定の場合に限定されない。
【００８０】
定義によれば、ＰＯ（ｄＢ）＝１０Ｌｏｇ（ＰＤＰＣＣＨ／ＰＤＰＤＣＨ）であり、ここで、ＰＤＰＣＣＨおよびＰＤＰＤＣＨは、それぞれチャンネルＤＰＣＣＨおよびＤＰＤＣＨの送信出力を示す。
【００８１】
非常に一般的な方法において、フレームにおいて、および、他のフレームに対してチャンネルＤＰＣＣＨおよびＤＰＤＣＨの出力を（永続的に）変更するためには、２つの選択肢がある。
・出力オフセットＰＯを変更すること。変更されないＳＩＲに対して、これは、ＤＰＤＣＨの出力のみを変更することを可能にする、または、
・目標ＳＩＲを変更すること。変更されない出力オフセットＰＯに対して、これは、ＤＰＣＣＨおよびＤＰＤＣＨ双方の送信出力を同時に同じ量だけ変更するように機能する。
【００８２】
さらに正確には、ＤＰＣＣＨの出力を値Δ１だけ（単位はデジベル）、および、ＤＰＤＣＨの出力を値Δ２だけ（単位はデジベル）変更するためには、以下が必要となる。
・出力オフセットＰＯ（単位はデジベル）を（Δ１−Δ２）デジベルだけ増加させること。および、
・目標ＳＩＲをΔ１デジベルだけ増加させること。
【００８３】
以下で、圧縮モードをさらに詳細に参照する。圧縮モードでは、上述の先行特許出願において説明されているように、そして、上記で再認識されたように、本発明は、以下を補償するためにＤＰＤＣＨの出力を増加させる。
・データレートの増加（圧縮フレームにおいて、または、パンクチャー圧縮モードが使用される時は圧縮フレームを含むＴＴＩ全体を通じた）、および、
・伝送ギャップによる性能の劣化（出力制御のギャップ、パンクチャーモード圧縮を使用する時は過剰パンクチャーなど）。
【００８４】
（先行特許出願の主題ではないが）ＤＰＣＣＨの出力を詳細に参照すると、興味深いいくつかの可能性がある。
・ＤＰＣＣＨの出力不変。これは、出力オフセットＰＯのみを変更し、変更されない目標ＳＩＲをそのままにすることによって得ることができる。
・フレームにおいて、タイムスロット当りに同じパイロット信号エネルギ（または、可能な限りパイロットチャンネルの他のいくつかのフィールドに対して同じエネルギ）を有するためにＤＰＣＣＨの出力を変更すること。これは、同時に、出力オフセットを変更し、目標ＳＩＲを変化させることによって達成することができる。
・上記の第２の可能性におけるように、（３ＧＰＰ標準に規定されるように、圧縮フレームと通常フレームとにおいて異なることがある）パイロットビットの数の変更を補償するため、および、（ＤＰＤＣＨに関する）伝送ギャップによる性能の劣化も補償するためにＤＰＣＣＨの出力を変更すること。
【００８５】
第３の可能性は、現在の３ＧＰＰ規格に良好に対応するために、選好されることができる。
【００８６】
第１の場合において、以下のように記述することができる。
ＳＩＲｃｍ＿ｔａｒｇｅｔ＝ＳＩＲｔａｒｇｅｔ
ＰＯｃｍ＝ＰＯ−ΔＳＩＲ＿ｃｏｍｐｒｅｓｓｉｏｎ−ΔＳＩＲ１＿ｃｏｄｉｎｇ−ΔＳＩＲ２＿ｃｏｄｉｎｇ
第２の場合は以下のように記述することができる。
ＳＩＲｃｍ＿ｔａｒｇｅｔ＝ＳＩＲｔａｒｇｅｔ＋ΔＰＩＬＯＴ
ＰＯｃｍ＝ＰＯ＋ΔＰＩＬＯＴ＋ΔＳＩＲ＿ｃｏｍｐｒｅｓｓｉｏｎ−ΔＳＩＲ１＿ｃｏｄｉｎｇ−ΔＳＩＲ２＿ｃｏｄｉｎｇ
第３の場合は、以下のように記述することができる。
ＳＩＲｃｍ＿ｔａｒｇｅｔ＝ＳＩＲｔａｒｇｅｔ＋ΔＰＩＬＯＴ＋ΔＳＩＲ＿ｃｏｄｉｎｇ＋ΔＳＩＲ２＿ｃｏｄｉｎｇ
ＰＯｃｍ＝ＰＯ＋ΔＰＩＬＯＴ＋ΔＳＩＲ＿ｃｏｍｐｒｅｓｓｉｏｎ
これらの様々な式において、
ＳＩＲｃｍ＿ｔａｒｇｅｔは、圧縮モードにおける目標ＳＩＲであり、
ＳＩＲｔａｒｇｅｔは、通常モードにおける目標ＳＩＲであり、
ＰＯｃｍは、圧縮モードにおける出力オフセットであり、
ＰＯは、通常モードにおける出力オフセットであり（実際には、ＰＯは、ＲＮＣまたは基地局コントローラによって信号で知らされるか、または、ＲＮＣによって信号で知らされる値（例えば、以下に規定されるゲインβｃおよびβｄ）から計算される値に等しいことがある）、
ΔＰＩＬＯＴは、３ＧＰＰ標準の適用では、上流方向における本実施例において、ＤＰＣＣＨに適用される出力変化量に対応し、
ΔＰＩＬＯＴ＝１０Ｌｏｇ１０（Ｎｐｉｌｏｔ、Ｎ／Ｎｐｉｌｏｔ、ｃｕｒｒ）であり、
ここで、Ｎｐｉｌｏｔ、Ｎは、伝送ギャップのない、フレームにおけるタイムスロット当りのパイロットビットの数であり、
Ｎｐｉｌｏｔ、ｃｕｒｒは、現在のフレームにおけるタイムスロット当りのパイロットビットの数であり、
ΔＳＩＲ＿ｃｏｍｐｒｅｓｓｉｏｎは、上流方向の実施例に対しては、以下によって定義される。
・伝播係数を半減することによる圧縮モードに対して現在のフレームにおいて伝送ギャップがある場合、
ΔＳＩＲ＿ｃｏｍｐｒｅｓｓｉｏｎ＝１０Ｌｏｇ（１５／（１５−ＴＧＬ））ｄＢであり、ここで、ＴＧＬは、問題のフレームにおけるタイムスロットの数における伝送ギャップの長さであり、１５が、フレームにおけるタイムスロットの数であり、
・他の全ての場合においては、ΔＳＩＲ＿ｃｏｍｐｒｅｓｓｉｏｎ＝０ｄＢである。
【００８７】
ΔＳＩＲ１＿ｃｏｄｉｎｇおよびΔＳＩＲ２＿ｃｏｄｉｎｇは、（２つの連続する伝送ギャップによって形成されるパターンの場合を取って）問題の方向または逆の方向について，上部層によって以下のように信号で知らされるパラメータＤｅｌｔａＳＩＲ１、ＤｅｌｔａＳＩＲ２、ＤｅｌｔａＳＩＲａｆｔｅｒ１，ＤｅｌｔａＳＩＲａｆｔｅｒ２から計算される。
・パターンの第１の伝送ギャップの開始が、現在のフレーム内にある場合（ＤｅｌｔａＳＩＲ１は、パターンの第１の伝送ギャップの開始を含むフレーム中の上流方向の目標ＳＩＲの変化量である）、ΔＳＩＲ１＿ｃｏｄｉｎｇ＝ＤｅｌｔａＳＩＲ１。
・ΔＳＩＲ１＿ｃｏｄｉｎｇ＝ＤｅｌｔａＳＩＲａｆｔｅｒ１は，パターンの第１の伝送ギャップの開始を含むフレームの直後の現在のフレームである（ＤｅｌｔａＳＩＲａｆｔｅｒ１は、パターンの第１の伝送ギャップの開始を含むフレームの１フレーム後の上流方向の目標ＳＩＲの変化量である）。
・パターンの第２の伝送ギャップの開始が、現在のフレーム内にある場合（ＤｅｌｔａＳＩＲ２は、パターンの第２の伝送ギャップの開始を含むフレーム中の上流方向の目標ＳＩＲの変化量である）、ΔＳＩＲ２＿ｃｏｄｉｎｇ＝ＤｅｌｔａＳＩＲ２、
・現在のフレームが、パターンの第２の伝送のギャップ開始を含むフレームの直後にある場合（ＤｅｌｔａＳＩＲａｆｔｅｒ１は、パターンの第２の伝送ギャップの開始を含むフレームの１フレーム後の上流方向の目標ＳＩＲの変化量である）、ΔＳＩＲ２＿ｃｏｄｉｎｇ＝ＤｅｌｔａＳＩＲａｆｔｅｒ２、および、
・他の全ての場合、ΔＳＩＲ１＿ｃｏｄｉｎｇ＝０ｄＢ、および、ΔＳＩＲ２＿ｃｏｄｉｎｇ＝０ｄＢ。
【００８８】
上記の関係を使用して得られる値ＤＩＲｃｍ＿ｔａｒｇｅｔおよびＰＯｃｍが、規格によって許容されている値に対応しない場合、値は、許容されている値に最も近く、または、前記値のすぐ下またはすぐ上の値に取られることも観察すべきである。
【００８９】
加えて、３ＧＰＰ標準では、上流方向に対して、出力オフセットＰＯに対して許容されている値は、２０Ｌｏｇ（βｃ／βｄ）に等しいことが観察され、ここで、βｃはＤＰＣＣＨのゲイン係数であり、βｄはＤＰＤＣＨのゲイン係数である。βｃおよびβｄの１つが１に等しければ、他の１つは１〜１５の範囲内の整数である。
【００９０】
本発明の方法において、要求された伝送条件に変更がある場合、第１の値を有する変化量が、前記目標値に適用され、第２の値を有する変化量が、前記出力オフセットに適用され、前記第１のチャンネルが、前記第２の値だけ変更された送信出力を有し、第２のチャンネルが、前記第１と第２の値との間の差に等しい値だけ変更された送信出力を有する。
【００９１】
特に、要求された伝送条件の変更が、圧縮モードを使用することに対応する時、一般的な方法においては、以下の３つの実施を区別することが可能である。
【００９２】
第１の実施では、
・前記第１の値が、０に等しい、
・前記第１と第２の値との間の差が、第２のチャンネルに適用される出力の変化量に相当する（第２のチャンネルが、上記に示した実施例におけるＤＰＤＣＨによって構成される時、前記変化量は、ΔＳＩＲ＿ｃｏｍｐｒｅｓｓｉｏｎ＋ΔＳＩＲ１＿ｃｏｄｉｎｇ＋ΔＳＩＲ２＿ｃｏｄｉｎｇに相当する）。
【００９３】
第２の実施では、
・前記第１の値が、第１のチャンネルに適用される出力の変化量の成分に相当する（上記に示した実施例におけるように、ＤＰＣＣＨによって構成される第１のチャンネルに対して、前記成分はΔＰＩＬＯＴに相当する）、
・前記第１の値と前記第２の値との間の差が、第１のチャンネルに適用される出力の変化量に対する前記成分から、および、第２のチャンネルに適用される出力の変化量から得られる（第２のチャンネルが、上記に与えた実施例におけるように、ＤＰＤＣＨによって構成される時、出力の前記変化量は、ΔＳＩＲ＿ｃｏｍｐｒｅｓｓｉｏｎ＋ΔＳＩＲ１＿ｃｏｄｉｎｇ＋ΔＳＩＲ２＿ｃｏｄｉｎｇに相当する）。
【００９４】
第３の実施では、
・前記第１の値は、第１のチャンネルに適用される出力の変化量に相当する（第１のチャンネルが、上記に与えた実施例におけるように、ＤＰＣＣＨによって構成される時、前記出力の変化量は、ΔＰＩＬＯＴ＋ΔＳＩＲ１＿ｃｏｄｉｎｇ＋ΔＳＩＲ２＿ｃｏｄｉｎｇに相当する）、および、
・前記第１と第２の値との間の差は、第１のチャンネルに適用される出力の変化量の成分（第１のチャンネルが、上記に与えた実施例におけるように、ＤＰＣＣＨによって構成される時、前記成分は、ΔＰＩＬＯＴに相当する）から、および、第２のチャンネルに適用される出力の変化量から得られる（第２のチャンネルが、上記に与えた実施例におけるように、ＤＰＤＣＨによって構成される時、前記成分は、ΔＳＩＲ＿ｃｏｍｐｒｅｓｓｉｏｎに相当する）。
【００９５】
本発明の方法において、圧縮モードの使用に対応する伝送条件の変更が、要求される時、変化量が、前記制御チャンネルで送信されるパイロット信号のためのパイロットビットの数の変更を補償するための成分であって、前記パイロットビットの数が、圧縮フレームと正常フレームとの間でおそらく異なる成分、ならびに、圧縮モードにおける伝送ギャップによる性能の劣化を補償するための成分を含む前記目標値に適用される。
【００９６】
本発明は、本発明の方法を実施するための手段を含むために適する移動無線通信システムの様々な実体も提供する。
【００９７】
本発明の方法を実施するためのこれらの様々な実体間の信号伝達手段を提供することも可能である。
【００９８】
一般に、移動無線通信システムは、図４に概要を示すように、以下の実体を含む。すなわち、（ＵＭＴＳにおいてユーザ設備（ＵＥ）とも呼ばれる）移動局、（ＵＭＴＳにおいて「ノードＢ」とも呼ばれる）基地局、および、（ＵＭＴＳでは無線ネットワークコントローラ（ＲＮＣ）と呼ばれる）基地局コントローラである。「ノードＢ」およびＲＮＣによって構成されるシステムは、それ自体が「ＵＭＴＳ地上無線アクセスネットワーク」の頭文字であるＵＴＲＡＮとも呼ばれる。
【００９９】
一般に、外部ループによって必要とされる品質（ＢＥＲ、ＦＥＲ、ＢＬＥＲなど）を受信機において評価することがより論理的であるため、外部出力制御ループは、むしろ受信機（例えば、上流方向におけるノードＢ）において実施される。したがって、目標値の変化量ΔＳＩＲは、受信機に知られなければならない。しかし、予測される送信出力の変化量は、送信機（例えば、上流方向のＵＥの）において適用されることとなり、したがって、送信機にも知られる必要がある。
【０１００】
加えて、ＵＭＴＳなどのシステムにおいて、ＲＮＣは、ネットワークの制御およびＵＥによって行われる行動に責任を持つが、ノードＢは主にトランシーバである。したがって、上流方向の外部出力制御ループは、ＲＮＣにおいて実施される。内部出力制御ループは、一部はＵＥにおいて、および、一部はノードＢにおいて実施される。例えば、上流方向において、ノードＢは、評価されたＳＩＲを目標ＳＩＲと比較し、ＵＥに出力制御コマンドを送り、ＵＥは、ノートＢによって送られた出力制御コマンドに応じてその送信出力を変更する。
【０１０１】
したがって、本発明は、移動無線通信システムのための基地局（または、ＵＭＴＳにおけるノードＢ）も提供し、基地局は、本発明の方法を実施するための（図４で１と参照されるような）手段を含む。
【０１０２】
特に、本発明の基地局は、以下の手段を含むことができる。
・上流方向の出力を制御するために、前記目標値に対して前記第１の値を有する変化量を適用するための手段。
・下流方向の出力を制御するために、前記出力オフセットに対して前記第２の値を有する変化量を適用するための手段。
・上流方向の出力を制御するために、前記出力オフセットに適用される前記変化量のための前記第２の値を移動局に信号で知らせるための手段。
【０１０３】
特に、本発明の基地局は以下の手段を含むことができる。
・上流方向の出力を制御するために、前記制御チャンネルで送信されるパイロット信号のためのパイロットビットの数の変更を補償するための成分（ΔＰＩＬＯＴ）であって、前記パイロットビットの数が、圧縮フレームと通常フレームとの間でおそらく異なる成分、ならびに、圧縮モードにおける伝送ギャップによる性能の劣化を補償するための成分（ΔＳＩＲ１＿ｃｏｄｉｎｇ＋ΔＳＩＲ２＿ｃｏｄｉｎｇ）を含む変化量を、前記目標値（ＳＩＲ目標）に対して適用するための手段。
【０１０４】
本発明は、移動無線通信システムのための基地局コントローラ（または、ＵＭＴＳにおけるＲＮＣ）も提供し、前記コントローラは、本発明の方法を実施するための（図４において２と参照されるような）手段を含む。
【０１０５】
特に、本発明の基地局コントローラは、以下の手段を含むことができる。
・上流方向の出力を制御するために、前記目標値に対して前記第１の値を有する変化量を適用するための手段、
・下流方向の出力を制御するために、前記出力オフセットに対して前記第２の値を有する変化量を適用するための手段、および、
・上流方向の出力を制御するために、前記出力オフセットに対して適用される前記変化量のための前記第２の値を前記移動局に信号で知らせるための手段。
【０１０６】
特に、本発明の基地局コントローラは、以下の手段を含むことができる。
・上流方向の出力を制御するために、前記目標値（ＳＩＲ目標）に対して変化量を適用するための手段であり、その変化量が、前記制御チャンネルで送信されるパイロット信号のためのパイロットビットの数の変更を補償するための成分（ΔＰＩＬＯＴ）であって、前記パイロットビットの数が、圧縮フレームと通常フレームとの間でおそらく異なる成分、ならびに、圧縮モードにおける伝送ギャップによる性能の劣化を補償するための成分（ΔＳＩＲ１＿ｃｏｄｉｎｇ＋ΔＳＩＲ２＿ｃｏｄｉｎｇ）を含む手段。
【０１０７】
本発明は、移動無線通信システムのための移動局（または、ＵＭＴＳにおけるＵＥ）も提供し、移動局は（図４において３と参照される手段などの）本発明の方法を実施するための手段を含む。
【０１０８】
特に、本発明の移動局は、以下の手段を含む。
・下流方向の出力を制御するために、前記目標値に対して前記第１の値を有する変化量を適用するための手段。
・上流方向の出力を制御するために、前記出力オフセットに対して前記第２の値を有する変化量を適用するための手段。
・下流方向の出力を制御するために、前記出力オフセットに対する適用のために前記第２の値を有する前記変化量をネットワークに信号で知らせるための手段。
【０１０９】
特に、本発明の移動局は、以下の手段を含むことができる。
・下流方向の出力を制御するために、前記制御チャンネルで送信されるパイロット信号のためのパイロットビットの数の変更を補償するための成分（ΔＰＩＬＯＴ）であって、前記パイロットビットの数は圧縮フレームと通常フレームとの間でおそらく異なる成分、ならびに、圧縮モードにおける伝送ギャップによる性能の劣化を補償するための成分（ΔＳＩＲ１＿ｃｏｄｉｎｇ＋ΔＳＩＲ２＿ｃｏｄｉｎｇ）を含む変化量を、前記目標値（ＳＩＲ目標）に対して適用するための手段。
【０１１０】
これらの様々な手段の特定の実施は、当業者に対していかなる特別な困難も提示せず、そのため、そのような手段は、それらが機能別に述べられた上記の説明よりさらに詳細には本明細書に説明する必要はない。
【図面の簡単な説明】
【０１１１】
【図１】圧縮モードにおける伝送原理の概要を示す模式図である。
【図２】特にＵＭＴＳなどのシステムにおける、上流方向のためのＤＰＣＣＨおよびＤＰＤＣＨチャンネルのためのフレーム構造の概要を示す図である。
【図３】特にＵＭＴＳなどのシステムにおける、下流方向のためのＤＰＣＣＨおよびＤＰＤＣＨチャンネルのためのフレーム構造の概要を示す図である。
【図４】例えば上流方向の出力を制御するために、本発明による方法を実施するため、特にＵＭＴＳなどの移動無線通信システムに設ける必要のある手段の実施例を示すための模式図である。
【図１】
2004529521.tif 000003
【図２】
2004529521.tif 000004
【図３】
2004529521.tif 000005
【図４】
2004529521.tif 000006
【国際公開パンフレット】
2004529521.tif 000007
2004529521.tif 000008
2004529521.tif 000009
2004529521.tif 000010
2004529521.tif 000011
2004529521.tif 000012
2004529521.tif 000013
2004529521.tif 000014
2004529521.tif 000015
2004529521.tif 000016
2004529521.tif 000017
2004529521.tif 000018
2004529521.tif 000019
2004529521.tif 000020
2004529521.tif 000021
2004529521.tif 000022
2004529521.tif 000023
2004529521.tif 000024
2004529521.tif 000025
2004529521.tif 000026
2004529521.tif 000027
2004529521.tif 000028
2004529521.tif 000029
2004529521.tif 000030
2004529521.tif 000031
2004529521.tif 000032
2004529521.tif 000033
2004529521.tif 000034
2004529521.tif 000035
2004529521.tif 000036
2004529521.tif 000037
【国際公開パンフレット（コレクトバージョン）】
2004529521.tif 000038
2004529521.tif 000039
【国際調査報告】
2004529521.tif 000040
2004529521.tif 000041
2004529521.tif 000042
2004529521.tif 000043
2004529521.tif 000044
2004529521.tif 000045
2004529521.tif 000046
2004529521.tif 000047
2004529521.tif 000048
2004529521.tif 000049